(57)【要約】情報信号の処理方法について開示している。その方法は、情報信号の指紋を決定する段階（３０２）と、前記情報信号の所定の第１特性の少なくとも第１特性値を得る段階であって、前記少なくとも第１特性値は複数の記憶された指紋の第１の１つに関連して記憶され、前記第１特性値は前記の決定された指紋に対応する、段階（３０８）と、前記の得られた少なくとも第１特性値に応じて、少なくとも一部において、前記情報信号の処理を制御する段階であって、前記処理は処理された情報信号を結果としてもたらす、段階（３１３）と、を有する。
2005526349.tif 000002
【特許請求の範囲】
【請求項１】
情報信号を処理する方法であって：
情報信号の指紋を決定する段階；
前記情報信号の所定の第１特性の少なくとも第１特性値を得る段階であって、前記少なくとも第１特性値は複数の記憶された指紋の第１の１つに関連して記憶され、前記第１特性値は前記の決定された指紋に対応する、段階；
前記の得られた少なくとも第１特性値に応じて前記情報信号の処理を、少なくとも一部において、制御する段階であって、前記処理は処理された情報信号を結果としてもたらす、段階；
を有することを特徴とする方法。
【請求項２】
請求項１に記載の方法であって、前記情報信号は、第２音声トラックが後に続く少なくとも第１音声トラックを表す音声信号であり、前記第１音声トラックは所定の長さを有し、前記第１特性は前記第１音声トラックの長さであり、前記の情報信号の処理を制御する段階は、前記第２音声トラックから前記第１音声トラックを分離する手順を有する、ことを特徴とする方法。
【請求項３】
請求項２に記載の方法であって、前記の情報信号の所定の第１特性の少なくとも第１特性値を得る段階は、前記第１音声トラックにおける時間位置を表す第２特性値を得る手順を有し、前記の第２音声トラックから前記第１音声トラックを分離する手順は、前記第１音声トラックの得られた長さから前記第１音声トラックの残りの期間を決定するステップを有する、ことを特徴とする方法。
【請求項４】
請求項１に記載の方法であって、前記情報信号は所定の音楽ジャンルの音楽を表す音声信号を有し、前記少なくとも第１特性値は前記音楽ジャンルを表し、前記の前記情報信号の処理を制御する段階は、前記情報信号の種々の周波数バンドに対して利得設定を調節する手順を有する、ことを特徴とする方法。
【請求項５】
請求項１に記載の方法であって、前記情報信号は所定のコンテンツの映像プログラムを表す音声−映像信号を有し、前記少なくとも第１特性値は前記コンテンツを表し、前記の前記情報信号を処理する段階は、映像プログラムを表示するために表示装置の所定の表示特性を適応させる手順を有する、ことを特徴とする方法。
【請求項６】
請求項１に記載の方法であって、前記情報信号は映像信号を有し、前記少なくとも第１特性値は映像符合化スキームの符合化パラメータの集合を表し、前記の前記情報信号の処理を制御する段階は、前記の得られた符合化パラメータを用いて前記映像信号を符合化する手順を有する、ことを特徴とする方法。
【請求項７】
請求項１に記載の方法であって、前記情報信号は、音声信号と、映像信号と、マルチメディア信号と、音声−映像信号とを有する情報信号の群から選択される、ことを特徴とする方法。
【請求項８】
請求項１に記載の方法であって、前記の少なくとも第１特性値を得る段階は、記憶された指紋のデータベースにアクセスすることができ、前記の記憶された指紋の対応する１つに関連する前記少なくとも第１特性値を検索するように適応されることができる指紋サーバに前記の決定された指紋を送信する手順と、前記指紋サーバから前記の検索された少なくとも第１特性値を受信する手順と、を有する、ことを特徴とする方法。
【請求項９】
請求項１に記載の方法であって、前記の前記情報信号の指紋を決定する段階は、前記の情報信号の少なくとも１つのセグメントの指紋を決定する手順を有し、前記の複数の記憶された指紋は、所定の情報信号の少なくとも所定のセグメントの指紋を有する、ことを特徴とする方法。
【請求項１０】
情報信号を処理する構成であって：
前記情報信号の指紋を決定するように、及び前記情報信号の所定の第１特性の少なくとも第１特性値を得るように適応される処理手段であって、前記すくなくとも第１特性値は、複数の記憶された指紋の対応する１つに関連して記憶される、処理手段；並びに
前記の得られた少なくとも第１特性値に応じて、少なくとも一部において、前記情報信号の処理を制御するように適応される制御手段であって、前記処理は処理された情報信号を結果としてもたらす、制御手段；
を有することを特徴とする装置。
【請求項１１】
請求項１０に記載の装置であって、前記の複数の記憶された指紋を記憶するための記憶手段を更に有する、ことを特徴とする装置。
【請求項１２】
複数の対応する情報信号の複数の信号を記憶するように適応されたデータ構造であって、前記データ構造は、処理された情報信号を結果としてもたらす情報信号の処理を、少なくとも一部において、制御するための前記の対応する情報信号の所定の第１特性の少なくとも対応する第１特性値に関連して複数の指紋の各々を記憶するように適応される、ことを特徴とするデータ構造。
【請求項１３】
複数の対応する情報信号の複数の記憶された指紋を有するコンピュータ読み取り可能媒体であって、前記の複数の指紋の各々は、処理された情報信号を結果としてもたらす情報信号の処理を、少なくとも一部において、制御するための前記の対応する情報信号の所定の第１特性の少なくとも対応する第１特性値に関連して複数の指紋の各々を記憶するように適応される、ことを特徴とするコンピュータ読み取り可能媒体。
【請求項１４】
ソース情報信号を処理する方法により生成される情報信号であって、前記方法は：
情報信号の指紋を決定する段階；
前記情報信号の所定の第１特性の少なくとも第１特性値を得る段階であって、前記少なくとも第１特性値は複数の記憶された指紋の第１の１つに関連して記憶され、前記第１特性値は前記の決定された指紋に対応する、段階；
前記の得られた少なくとも第１特性値に応じて、少なくとも一部において、前記情報信号の処理を制御する段階であって、前記処理は情報信号を結果としてもたらす、段階；
を有することを特徴とする情報信号。
【請求項１５】
処理器が請求項１の方法を実行するようにするために配置されたことを特徴とするコンピュータプログラムプロダクト。
【発明の詳細な説明】
【技術分野】
【０００１】
本発明は、情報信号の処理に関し、特に、音声トラックの分離に関する。
【背景技術】
【０００２】
情報信号を処理するとき、例えば、特定の処理パラメータの選択を処理するタイプは、情報信号のコンテンツに依存する。
【０００３】
例えば、ビニルレコードから、他の記録可能媒体であって、例えば、記録可能なＣＤにトラックを記録するとき、そのレコードにおける異なる音声トラックを分離することは困難な問題である。
【０００４】
ユーザは、記録時間においてトラックをマニュアルにより分離することが可能であり、即ち、ユーザは、記録の間に音声トラックを聴くことにより、及び、それ故に、記録装置を操作することにより記録を管理する。しかしながら、このことは、かなりのユーザインタラクションを必要とする不利点を有している。
【０００５】
更に、自動無音検出によりトラックを分離する方法が知られている。例えば、所定時間の期間が予め設定されることが可能であり、予め選択された期間より長い記録の間に無音の期間が検出される場合、現在のトラックの記録は終了される。しかしながら、これらの方法は、例えば、２つの楽曲間のポーズが所定時間の期間より短い場合に、楽曲の偶発的な結合に、又は、例えば、クラシック音楽の一曲又は楽曲内に相対的に静かな短い期間が存在する場合に、偶発的な単一楽曲の分離に繋がり得るため、エラーを起こし易い。
【０００６】
更に、トラックの全体的シーケンスは、単一のデジタル記録であって、例えば、単一ｗａｖｅファイルとして記録されることが可能である。続いて、音声トラックは、音声処理プログラムを用いるコンピューティングプラットフォームにおいて分離されることが可能である。しかしながら、これは扱いにくい方法であり、複数の段階とユーザインタラクションとを必要とする。それ故、上記の先行技術のいずれも、エンドユーザに身近ではない。
【０００７】
それ故、本発明の目的は、一般に、情報信号の効率的な処理を提供することである。
【０００８】
上記の及び他の問題点は情報信号を処理する方法であって：
−  情報信号の指紋（ｆｉｎｇｅｒｐｒｉｎｔ）を決定する段階；
−  情報信号の所定の第１特性の少なくとも第１特性値を得る段階であって、少なくとも第１特性値は、複数の記憶された指紋の第１の１つに関連して記憶され、第１特性値は決定された指紋に対応する、段階；
−  得られた少なくとも第１特性値に応じた情報信号の処理の少なくとも一部を制御する段階であって、その処理は処理された情報信号を結果的に得る、段階；
を有する、方法により解決される。
【０００９】
それ故、情報信号の処理は、対応する特性値が計算された情報信号の指紋に基づいて検索される、情報信号のコンテンツの１つ又はそれ以上の特性に基づいて制御される。それ故、効率的な、信頼性高い及びユーザフレンドリの、情報信号の処理方法が達成される。
【００１０】
本発明の優位性は、処理が情報信号のコンテンツに適応されることが可能であり、これにより、処理の性能及び／又は処理の結果の品質を改善することが可能である。
【００１１】
用語、情報信号は、例えば、音声、音楽、発話、画像、映画、アニメーション等の聴覚特徴及び／又は映像特徴の知覚特徴のような、情報コンテンツを表すいずれのアナログ又はデジタル信号を有する。そのような情報信号の例としては、音声信号、映像信号、音声−映像信号、マルチメディア信号、マルチメディアオブジェクト等がある。
【００１２】
情報信号の指紋は、対象の情報信号の表現である。好適には、指紋は情報信号より短い。更に、好適には、指紋は、対象の信号の最も関連性がある知覚特徴を表す。そのような指紋は又、しばしば、“（ロバスト）ハッシュ”として知られている。用語、ロバストハッシュは、例えば、圧縮／圧縮解除、符合化、ＡＤ／ＤＡ変換等の信号劣化及びデータ処理に関して、ある程度、ロバストであるハッシュ関数をいう。
【００１３】
指紋化技術を用いるシステムにおいては、関連する各々のデータとともに多数の情報信号の指紋が、例えば、データベースに記憶される。関連データは、用語、“メタデータ”が、例えば、タイトル、アーチスト、ジャンル等のような情報のコンテンツについての情報をいうメタデータを有することが可能である。本発明に従って、関連データは、情報信号の処理において用いられる第１特性の少なくとも１特性値を有する。関連データは、情報信号の指紋を計算することにより、及びクエリパラメータ又はルックアップキーのような計算された指紋を用いて、データベースにおいてクエリ又はルックアップを実行することにより、検索される。ルックアップは、それ故、指紋に関連するデータを返す。
【００１４】
情報信号又はそのコンテンツ自体の代わる、データベースにおける情報信号に対する指紋を記憶することには幾つかの優位点がある。次のように、幾つかの例を挙げる。
−  データベースに対するメモリ／記憶装置に関する要求は低減される。
−  指紋の比較は、指紋は情報信号より実質的に短いため、情報信号自体の比較より効率的である。
−  指紋のマッチングに対するデータベースにおける検索は、短いアイテムのマッチングを有するため、完全な情報信号に対する検索より効率的である。
−  指紋のマッチングに対する検索は、情報信号に対する小さい変化（例えば、異なるフォーマットにおける符合化又はビットレートの変化のような）は指紋に影響を与えないため、成功する可能性が大きい。
【００１５】
指紋を生成する方法の例については、欧州特許出願公開第０１２００５０５．４号明細書と、文献、Ｊａａｐ  Ｈａｉｔｓｍａ，Ｔｏｎ  Ｋａｌｌｅｒ  ａｎｄ  Ｊｏｂ  Ｏｏｓｔｖｅｅｎ，“Ｒｏｂｕｓｔ  Ａｕｄｉｏ  Ｈａｓｈｉｎｇ  Ｆｏｒ  Ｃｏｎｔｅｎｔ  Ｉｄｅｎｔｉｆｉｃａｔｉｏｎ”，Ｉｎｔｅｒｎａｔｉｏｎａｌ  Ｗｏｒｋｓｈｏｐ  ｏｎ  Ｃｏｎｔｅｎｔ−Ｂａｓｅｄ  Ｍｕｌｔｉｍｅｄｉａ  Ｉｎｄｅｘｉｎｇ，  Ｂｒｅｓｃｉａ  Ｓｅｐｔｅｍｂｅｒ  ２００１と、に記載されている。
【００１６】
少なくとも第１特性は、続く情報信号の処理に関連するいずれの特性であって、例えば、コンテンツの種類、ジャンル等のようなカテゴリデータ、又は、例えば、時間、連続パラメータ設定などのような連続値特性であることが可能である。そのような特性の例としては、コンテンツの持続期間又は情報信号のコンテンツの一部であって、例えば、符合化スキームの使用のためのパラメータ、等化器設定、続く処理のためのパラメータ値、映画コンテンツの映画ジャンル、音声コンテンツの音楽ジャンル、音声トラックのシーケンスの一部として記録された音声トラックの長さ、を有する。
【００１７】
指紋データ及び関連特性データは、信号の処理を実行する同じ装置であって、例えば、その装置に接続された記憶媒体、例えば、ＣＤ等の対応する読み取り器に挿入されたデータ担体等、において局所的に記憶されることが可能である。指紋データを局所的に記憶することの優位性は、リモートデータベースへの接続が必要ないことである。
【００１８】
代替的に又は付加的に、指紋データは、遠隔地であって、例えば、サーバコンピュータ等のデータ処理システムのリモート指紋データベースにおいて、記憶されることが可能である。例えば、リモート指紋データベースは、インターネット、ケーブルテレビジョンネットワーク、若しくは、有線又は無線接続、常時接続又はダイアルアップ接続等のような一時的接続等のいずれの他の適切な接続によりアクセスすることが可能である。リモート指紋データから特性値を検索することの優位性は、処理装置はデータベース問い合わせ、指紋マッチング等を実行する必要がなく、これにより、処理装置をシンプルに保つことができることである。更に、指紋データは、リモートデータベースと局所的に記憶されたデータの組み合わせとして記憶されることが可能であることである。例えば、指紋を局所データベースにおいて識別することができない場合、クエリが、多数の指紋を有するリモートデータベースに転送されることが可能である。
【００１９】
それ故、本発明の好適な実施形態に従って、少なくとも第１特性値を得る段階は、記憶された指紋のデータベースへのアクセスを有し、記憶された指紋の対応する１つに関連する前記の少なくとも第１特性値を検索するように適合する指紋サーバに決定された指紋を送信する手順と、前記指紋サーバから検索された少なくとも第１特性値を受信する手順と、を有する。
【００２０】
情報信号の処理は、いずれの種類の信号処理であって、例えば、アナログ信号又はデジタル信号の処理から構成されることが可能である。そのような信号処理の例には、情報信号から１つ又はそれ以上のセグメントを抽出すること、情報信号を結合すること、信号を符号化及び／又は復号化すること、例えば、再生装置、データ処理システム、テレビジョン等により信号を再生することがある。その処理は、識別された特性値に基づいて全部又は一部を制御することが可能である。
【００２１】
本発明の好適な実施形態においては、情報信号は、第２音声トラックが後に続く、少なくとも第１音声トラックを表す音声信号であって、第１音声トラックは所定の長さを有し、第１特性は第１音声トラックの長さであり、情報信号の処理を制御する段階は第２音声トラックから第１音声トラックを分離する手順を有する。
【００２２】
従って、正確で、信頼性高く、ユーザフレンドリな音声トラックの分離が提供される。
【００２３】
本発明の他の好適な実施形態においては、情報信号の所定の第１特性の少なくとも第１特性を得る段階は、第１音声トラック内の時間位置を示す第２特性値を得る手順を有し、第２音声トラックから第１音声トラックを分離する段階は、第１音声トラック内の得られた時間位置と第１音声トラックの得られた長さから第１音声トラックの残りの持続時間を決定する手順を有する。
【００２４】
従って、音声トラックの正確な分離のために用いられる情報は、例えば、無線局から記録するとき、例えば、ワウ及びフラッタ、カチカチ音、スピード変化のような状態の悪化の下でさえ、信頼性高く検索される。時間位置、即ち、記録がトラックにおいてどれくらい進んでいるかと、トラックの長さとに基づいて、例えば、残りのトラック時間を計算することにより、又は、オリジナルのトラック等の基準トラックに記録されるべきトラックを比較することにより、トラック分離を正確に実行することができる。
【００２５】
本発明の他の好適な実施形態において、情報信号は、所定の音楽ジャンルの音楽を表す音声信号を有し、少なくとも第１特性値は音楽ジャンルを表し、情報信号の処理を制御する段階は、情報信号の異なる周波数バンドに対して利得設定を調整する手順を有する。
【００２６】
多くの音楽プレーヤであって、例えば、ホームハイファイ装置、ソフトウェアプレーヤ等は、異なる周波数帯に対して異なる利得を設定することを可能にする等化器を備えている。典型的には、等化器設定は異なる音楽ジャンルに対して異なる。例えば、ポピュラー音楽は、通常、高い及び低いブースト周波数でプレーし、クラシック音楽は更なるレベル設定を伴うことが好まれる。本発明の優位性は、これらの種類の等化器設定が、リモート指紋データベースに接続することにより、又は局所的に記憶された指紋データベースを用いることにより、自動的に決定されることができることである。
【００２７】
本発明の他の好適な実施形態においては、情報信号は、所定のコンテンツの映像プログラムを表す音声−ビジュアル信号を有し、少なくとも第１特性値は前記コンテンツを表し、情報信号の処理を制御する段階は、映像プログラムを表示するための表示装置の所定の表示特性を適応させる手順を有する。
【００２８】
現代のテレビジョンセットは、特定の表示特性を設定するためのオプションを有している。例えば、自然映画は、自然色の良好な再生を可能にする設定を伴って良好に見ることができ、漫画は改善されたシャープネスを伴って良好に見ることができる。本発明の優位性は、映像指紋化による映像識別により、見ているコンテンツに従ったこのような設定の自動的適応を可能にすることである。
【００２９】
本発明の他の好適な実施形態においては、情報信号は映像信号であり、少なくとも第１特性値は映像符合化スキームの符合化パラメータの集合を表し、情報信号の処理を制御する眼科医は、得られた符合化パラメータを用いて映像信号を符合化する手順を有する。従って、例えば、映像プログラムを記憶するに先立ち、例えば、シーン変化、動き情報等の関連符合化パラメータは、検索され、符合化処理の制御において用いられ。これにより、映像符合化を改善し、例えば、より良好な圧縮レートを達成し及び／又は符合化のための品質における損失を低減することができる。
【００３０】
本発明の他の好適な実施形態において、情報信号の指紋を決定する段階は、情報信号の少なくとも１つのセグメントの指紋を決定する手順を有し、フック数の記憶された指紋は、所定の情報信号の少なくとも所定のセグメントの指紋を有する。従って、指紋は、情報信号のみの１つ又はそれ以上の一部に対して決定され、これにより、記憶された指紋と指紋とをマッチングさせるために及び指紋を計算するために必要な計算資源を低減することができる。
【００３１】
例えば、音声信号の場合、指紋は、全体的な音声トラックの数分の間に計算される必要はない。一部の実施形態においては、音声トラックの短いセグメントであって、例えば、トラックの開始、真ん中近く及び終了近くにおける短いセグメントの指紋を計算することで十分である。
【００３２】
好適には、この実施形態に従って、情報信号の少なくとも最も特徴的なセグメントに対する指紋データがデータベース等において利用可能となる。例えば、音声信号の場合、短いセグメント又はクリップに対する指紋が記憶され、０．１ｓｅｃまで小さい時間制度で識別されることが可能である。
【００３３】
本発明は、上記の方法と、下における構成と更なるプロダクト手段とを含む種々の方式で実施されることができ、それら各々は、第１に述べる方法と結びつけて説明される１つ又はそれ以上の有利点及び優位点を得ることができ、それら各々は、第１に述べる方法と結び付けて説明され且つ従属請求項に開示された好適な実施形態に対応する１つ又はそれ以上の好適な実施形態を有する。
【００３４】
上記の及び以下で説明する方法の特徴は、ソフトウェアにおいて実施されることが可能であり、コンピュータ実行可能命令の実行によりもたらされるデータ処理システム又は他の処理手段において実行されることが可能である。そのような命令は、コンピュータネットワークにより他のコンピュータから又は記憶媒体から、ＲＡＭのようなメモリにおいて
ロードされるプログラム符号化手段であることが可能である。代替として、上記の特徴は、ソフトウェアに代えて、又はソフトウェアと組み合わせたハードウェア回路構成により実行されることが可能である。
【００３５】
本発明は、情報信号を処理するための構成であって：
−  情報信号の指紋を決定するために、及び情報信号の所定の第１特性の少なくとも第１特性値を得るために適応される処理手段であって、少なくとも第１特性値は複数の記憶された指紋の対応する１つに関連して記憶される、処理手段；及び
−  得られた少なくとも第１特性値に対応する情報信号の処理を、少なくとも一部において、制御するように適応される制御手段であって、その処理は処理された情報信号を結果としてもたらす、制御手段；
を有する構成に更に関する。
【００３６】
上記の構成は、例えば、ハイファイ装置、ビデオレコーダ等の、音声信号、映像信号等の記録のための記録装置を有するいずれの電子装置の一部とすることが可能である。他の例は、例えば、ビデオレコーダ、オーディオプレーヤ、テレビジョンセット等の情報コンテンツを再生するための装置と、据え置き及び可搬型ＰＣ，据え置き及び可搬型無線通信装置、及び、携帯電話、ポケベル、オーディオプレーヤ、マルチメディアプレーヤ、コミュニケータ、即ち、電子オーガナイザ、スマートフォン、形態デジタル端末（ＰＤＡ）のような、情報信号を処理するための他の装置を有する。
【００３７】
用語、処理手段は、一般用途向けの又は特殊用途向けプログラム可能マイクロプロセッサ、デジタル信号プロセッサ（ＤＳＰ）、特定用途向け集積回路（ＡＳＩＣ）、プログラマブルロジックアレイ（ＰＬＡ）、フィールドプログラマブルゲートアレイ（ＦＰＧＡ）、特定用途向け電子回路、又はそれらの組み合わせを有する。用語、制御手段は、情報信号の処理を制御するために適切に適応される回路構成を有する。例えば、制御手段は、上記のような処理手段を有することが可能である。
【００３８】
構成は、複数の指紋を記憶するための記憶手段を更に有することが可能である。ここで、用語、記憶手段は、磁気テープ、ＤＶＤ（Ｄｉｇｉｔａｌ  Ｖｉｄｅｏ  Ｄｉｓｋ）、ＣＤ又はＣＤ−ＲＯＭ、ミニディスク、ハードディスク、フロッピー（登録商標）ディスク、強誘電体メモリ、ＥＥＰＲＯＭ（Ｅｌｅｃｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリ、ＥＰＲＯＭ、読み出し専用メモリ（ＲＯＭ）、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｒａｎｄｏｍ  Ａｃｃｅｓｓ  Ｍｅｍｏｒｙ）、強誘電体メモリ、光記憶装置、電荷結合素子（ＣＣＤ）、スマートカード、ＰＣＭＣＩＡカード等を有する。用語、記憶手段は、コンピュータ読み取り可能媒体を読み取るための入力装置を更に有する。そのような受信手段の例には、フロッピー（登録商標）ディスク、ＣＤ−ＲＯＭ装置、ＤＶＤ装置、又はいずれの他の適切なディスク装置、メモリカードアダプタ、スマートカードアダプタ等を有する。
【００３９】
本発明は、複数の対応する情報信号の複数の指紋を記憶するように適応されたデータ構造に更に関し、データ構造は、処理情報信号を結果的にもたらす情報信号の処理を制御するために対応する情報信号の所定の第１特性の少なくとも対応する第１促成値に関連する複数の指紋の各々を記憶するように適応される。データ構造は、例えば、関係データベースにおける１つ又はそれ以上のテーブルとして、既知のデータベース構造において具現されることが可能である。
【００４０】
本発明は、複数の対応する情報信号の複数の記憶された指紋を有するコンピュータ読み取り可能媒体に更に関し、複数の記憶された指紋の各々は、処理された情報信号を結果的にもたらす情報信号の処理を、少なくとも一部において、制御するための対応する情報信号の所定の第１特性の少なくとも対応する第１特性値に関連して記憶される。
【００４１】
用語、コンピュータ読み取り可能媒体は、磁気テープ、ＤＶＤ（Ｄｉｇｉｔａｌ  Ｖｉｄｅｏ  Ｄｉｓｋ）、ＣＤ又はＣＤ−ＲＯＭ、ミニディスク、ハードディスク、フロッピー（登録商標）ディスク、強誘電体メモリ、ＥＥＰＲＯＭ（Ｅｌｅｃｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリ、ＥＰＲＯＭ、読み出し専用メモリ（ＲＯＭ）、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｒａｎｄｏｍ  Ａｃｃｅｓｓ  Ｍｅｍｏｒｙ）、強誘電体メモリ、光記憶装置、電荷結合素子（ＣＣＤ）、スマートカード、ＰＣＭＣＩＡカード等を有する。
【００４２】
本発明は、上記において及び下において説明するようなソース情報信号を処理する方法により生成される情報信号に更に関する。
【００４３】
本発明は、上記において及び下において説明する方法を処理器が実行するようにするために配列されたコンピュータプルグラムプロダクトに更に関する。
【００４４】
コンピュータプログラムプロダクトは、コンピュータ読み取り可能媒体において具現されることが可能である。用語、コンピュータ読み取り可能媒体は、磁気テープ、ＤＶＤ（Ｄｉｇｉｔａｌ  Ｖｉｄｅｏ  Ｄｉｓｋ）、ＣＤ又はＣＤ−ＲＯＭ、ミニディスク、ハードディスク、フロッピー（登録商標）ディスク、強誘電体メモリ、ＥＥＰＲＯＭ（Ｅｌｅｃｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリ、ＥＰＲＯＭ、読み出し専用メモリ（ＲＯＭ）、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｒａｎｄｏｍ  Ａｃｃｅｓｓ  Ｍｅｍｏｒｙ）、強誘電体メモリ、光記憶装置、電荷結合素子（ＣＣＤ）、スマートカード、ＰＣＭＣＩＡカード等を有することが可能である。
【発明の開示】
【課題を解決するための手段】
【００４５】
図１は、リモート指紋データベースを用いて、本発明の実施形態に従った音声トラックを記録するためのシステムを示している。そのシステムは、音声ソース１０１と、レコーダ１０３と、指紋データベース１１０にアクセスすることができる指紋サーバ１０９とを有する。
【００４６】
図１の例において、音声ソースは、音楽、発話等のような音声トラックを有するビニルレコード１０２をプレーするためのレコードプレーヤである。レコードプレーヤ１０１は、異なる担体において音声プログラムを記録するためのレコーダ１０３又はアンプに供給されることが可能であるアナログ音声信号を出力する。代替として、他の音声ソースであって、例えば、エアネットワーク又はケーブルネットワークに対する無線プログラムを受信するためのラジオ、テープレコーダ等を用いることが可能である。
【００４７】
従来のビニルレコードにおいて、多くの音声トラックは、相対的に静かなインターバルにより分離されて、記録されることが可能である。しかしながら、相対的に静かな期間のために、例えば、スクラッチ、埃等のビニルレコード又はプレーヤの不完全性、損傷により、特定レベルの音響ノイズが尚も存在する。図１の例において、ビニルレコード１０２は、インターバル１０２ｄ及びｅにより分離されたトラック１０２ａ乃至ｃを用いて表されている。音声ソース１０１から生成された音声信号は、例えば、従来のライン入力ジャックにより、レコーダ１０３に供給される。
【００４８】
レコーダ１０３は、ＣＤにおける音声トラックに記録するためのＣＤドライブ１０６と、入力音声信号の記録を制御するための対応する回路構成１０４とを有する。回路構成１０４は、ＡＤ変換、フィルタリング、圧縮（例えば、ＭＰ３）等のような従来の信号処理を更に実行することが可能である。
【００４９】
本発明に従って、レコーダ１０３は、トラック分離のための回路構成１０５を更に有する。回路構成１０５は、回路構成１０４から音声信号を受信し、音声信号からの指紋を計算するための回路構成を有する。回路構成１０５は、ここでは、入力モジュール１０５ａと、指紋化モジュール１０５ｂと、トラック分離制御モジュール１０５ｃとを有する。入力モジュール１０５ａは回路構成１０４から音声クリップを受信し、指紋化モジュール１０５ｂに音声クリップを供給する。指紋化モジュール１０５ｂは受信された音声クリップから指紋を計算する。ロバスト指紋を計算するための一方法については、欧州特許出願公開第０１２００５０５．４号明細書において記載されているが、勿論、ロバスト指紋を計算するためのいずれの方法を用いることができる。
【００５０】
欧州特許出願公開第０１２００５０５．４号明細書において、例えば、音声クリップのようなマルチメディアオブジェクトのためのロバスト指紋を生成する方法について記載されている。音声クリップは、連続（好適には、重なり合う）時間インターバルに分割される。各々の時間インターバルに対して、周波数スペクトルは複数のバンドに分割される。各々のバンド（例えば、エネルギー）のロバスト特性は計算され、それぞれの指紋ビットで表される。
【００５１】
マルチメディアオブジェクトは、それ故、それぞれ各々の時間インターバルに対応する、一連の２値を有する指紋により表される。指紋は、全体的なマルチメディアオブジェクトに対して計算される必要はないが、特定の長さの部分であって、典型的には約３秒が受信されたとき、計算されることができる。それ故、どの部分が指紋を計算するために用いられるかに依存して、１つのマルチメディアオブジェクトに対する複数の指紋が存在する。明確化のために、用語、“指紋”は、マルチメディアオブジェクトに対する複数の指紋が存在することができる場合に、用いられる。
【００５２】
レコーダ１０３は、回路構成１０５から計算された指紋を受信し、通信リンク１０７により指紋サーバ１０９に計算された指紋データを送信する、通信回路構成を更に有する。通信回路構成１０８は、計算された指紋に対応する現在の音声トラック内の現在の位置に関する情報と現在の音声トラックの長さを表す指紋サーバからの応答を受信するための回路構成を更に有する。受信されたデータは、回路１０５のトラック分離制御モジュール１０５ｃに返される。トラック分離制御モジュール１０５ｃは、受信された情報に基づいて楽曲の残り時間を計算するように、及び回路１０４に供給される楽曲の残り時間を示す制御信号を生成するように適応される。回路１０４は、次いで、現在のトラックの終点を特定するためにこの情報を用いる。
【００５３】
指紋サーバ１０９は、データベース１１０にアクセスすることができる適切にプログラムされたサーバコンピュータとすることが可能である。指紋サーバ１０９は、計算された指紋を有するレコーダ１０３からの要求を受信する。この要求に応じて、指紋サーバはデータベース１１０において指紋を識別し、例えば、図３及び４を参照して説明されるように、記憶された指紋に関連する要求データを戻す。
【００５４】
通信リンク１０７は、例えば、無線ベースのリンクのような近距離通信リンク、インターネット又は他のＴＣＰ／ＩＰネットワークのようなパケットベースの通信ネットワーク等の、いずれの適切な有線又は無線データリンクとすることが可能である。通信リンクの更なる例には、ＣＤＰＤ（Ｃｅｌｌｕｌａｒ  Ｄｉｇｉｔａｌ  Ｐａｃｋｅｔ  Ｄａｔａ）ネットワーク、ＧＳＭ（Ｇｌｏｂａｌ  Ｓｙｓｔｅｍ  ｆｏｒ  Ｍｏｄｕｌｅ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、ＹＤＭＥ（Ｔｉｍｅ  Ｄｉｖｉｓｉｏｎ  Ｍｕｌｔｉｐｌｅ  Ａｃｃｅｓｓ  Ｎｅｔｗｏｒｋ）、ＧＲＲＳ（Ｇｅｎｅｒａｌ  Ｐａｃｋｅｔ  Ｒａｄｉｏ  ｓｅｒｖｉｃｅ）ネットワーク、ＵＭＴＳネットワークのような第三世代ネットワーク等がある。
【００５５】
従って、通信回路１０８は、通信リンク１０７によりデータの通信を可能にするために適切な装置及び／又は回路構成を有する。そのような回路構成の例には、ネットワークインタフェース、ネットワークカード、無線受信器、他の適切な電磁信号のための受信器等がある。そのような回路構成の更なる例には、ケーブルモデム、電話モデム、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）アダプタ、ＤＳＬ（Ｄｉｇｉｔａｌ  Ｓｕｂｓｃｒｉｂｅｒ  Ｌｉｎｅ）アダプタ、衛星放送トランシーバ、イーサネット（登録商標）アダプタ等がある。
【００５６】
代替として、レコーダにおいて指紋を計算するために、短い音声クリップをサーバ１０９に送信することが可能であることに留意する必要がある。この代替の実施形態において、サーバ１０９は、受信された音声クリップの指紋を計算するためであって、これにより、増加するバンド幅に対する要求を犠牲にするレコーダにおける必要な計算資源を減少させるための回路構成を有する。
【００５７】
図２は、ローカル指紋データベースを有する、本発明の実施形態に従った音声トラックを記録するためのシステムを模式的に示している。このシステムは、例えば、マルチディスクレコーダ等のレコーダ２０３と、音声ソース１０１とを有する。この実施形態に従って、指紋データはレコーダ２０３に局所的に記憶される。図２の例において、レコーダ２０３は、指紋データベースに記憶したＣＤが除去可能であるように挿入されることが可能である第２ＣＤドライブ２１０を有する。レコーダは、ＣＤに記憶されたデータへのアクセスを制御するため、及び、指紋マッチングを実行するため等のための回路旺盛２０９を更に有し、即ち、回路構成２０９は、例えば、図３及び４を参照して説明するように、図１の実施形態における指紋サーバ１０９に対応する機能を実行する。それ故、この実施形態に従って、レコーダは、リモートデータベースと通信するための回路構成を有する必要はなく、これにより、トラック分離を有する自己完結型記録システムを提供することができる。
【００５８】
代替として、ＣＤに指紋データを記憶することに対して、他の記憶媒体であって、例えば、ＤＶＤ、ハードディスクドライブ、メモリカード、ＥＰＲＯＭ、ＥＥＰＲＯＭ等を用いることが可能であることを理解することができる。
【００５９】
図１又は２に従ったトラック分離は又、音声ソース１０１からの入力を受信し、レコーダに供給されることが可能である信号音声トラックに対応する出力を生成する、分離装置において実行されることが可能である。これは、Ｐｈｉｌｉｐｓ社製のＣＤレコーダＣＤＲ−８００のような、従来のレコーダを使用することが可能である優位性を有する。例えば、トラックを分離するための装置は、インターネット等によりＣＤなどにおいて指紋データベースにアクセスすることができる適切にプログラムされたコンピュータとすることが可能である。
【００６０】
図１又は２におけるレコーダは、例えば、ＤＶＤにおける、ＣＤ以外の記録可能媒体における分離された音声トラックを、又は、例えば、ハードディスク、ディスケット又はいずれの他のコンピュータ読み取り可能媒体のようなデータ記憶媒体におけるファイルとして、記録するように適応されることが可能である。
【００６１】
図３は、本初Ａの実施形態に従って音声トラックを分離する方法についてのフロー図を示している。
【００６２】
最初の段階において、記録装置１０３はアナログ入力信号を受信する。例えば、入力信号を、ビニルレコードをプレーするレコードプレーヤから、又は図１を参照して説明したような他の音声ソースから、受信することが可能である。
【００６３】
段階３０２において、指紋Ｈは受信された音声信号のセグメントに対して計算される。
【００６４】
段階３０３において、計算された指紋は、指紋Ｈを識別する識別子ｎＨと共に指紋サーバ１０９に送信される。
【００６５】
指紋サーバ１０９は、計算された指紋Ｈと段階３０４における識別子ｎＨとを受信する。
【００６６】
段階３０５において、サーバは、キーとして指紋Ｈを用いて、データベース１１０から楽曲ＩＤを検索する。マッチングする楽曲ＩＤが見つからない場合、サーバは、新しい要求を待って、段階３０４に戻ることが可能である。
【００６７】
任意に、段階３０７において、サーバは、楽曲ＩＤの識別の失敗を示すメッセージを返すことが可能である。段階３１４においてこのメッセージを受信するとき、レコーダは、段階３０２に戻ることが可能であり、入力音声信号の他のセグメントのために新しい指紋を計算することが可能である。
【００６８】
段階３０８において、適切な楽曲ＩＤが段階３０５におけるデータベースから検索された場合、識別された楽曲の開始からの指紋Ｈの対応する時間位置Ｔは、識別された楽曲の全長と共にデータベースから検索される。
【００６９】
段階３０９において、検索された時間位置Ｔと全長Ｌは、指紋識別子ｎＨと共にレコーダ１０３に返される。
【００７０】
段階３１０において、レコーダは返されたデータを受信し、段階３１１において、レコーダは楽曲の残り時間ＴＲ＝Ｌ−Ｔ−Ｔｒｅｑを計算する。ここで、Ｔｒｅｑは、残り時間の計算までの、指紋の計算から導き出される遅延である。例えば、この遅延は、例えば、上記の段階３０２の間に、タイマを始動させることによりレコーダにより測定される。それ故、経過時間を、段階３１１において決定し、ＴＲの計算において用いることが可能である。
【００７１】
楽曲の残り時間ＴＲに基づいて、現在のトラックの終点を、段階３１２において決定することが可能である。トラックの終点に達する場合、現在のトラックの記録は、段階３１３において終了する。そうでなければ、レコーダは段階３０２に戻り、他のセクションのための新しい指紋を計算する。代替として又は付加的に、タイマを始動することが可能であり、これにより、更なる指紋の計算を伴わない場合でさえ、時間ＴＲが経過するときをレコーダが決定することを可能にし、レコーダが現在のトラックの終点を予測することを可能にする。
【００７２】
図４は、サーバ１０９と指紋データベースとを更に詳細に、模式的に示している。サーバ１０９は、ここでは、入力モジュール４０１と、データベース管理システム（ＤＢＭＳ）バックエンドモジュール４０３と、応答モジュール４０４とを有する。
【００７３】
入力モジュール４０１は、クライアント装置から指紋を受信し、ＤＢＭＳバックエンドモジュール４０３にその指紋を提供する。ＤＢＭＳバックエンドモジュール４０３は、データベース１１０から計算された指紋に関連するメタデータの集合を受信するように、データベース１１０においてクエリを実行する。図４に示すように、データベース１１０は、指紋ＦＰ１、ＦＰ２、ＦＰ３、ＦＰ４及びＦＰ５と、それぞれに関連するメタデータの集合ＭＤＳ１、ＭＤＳ２、ＭＤＳ３、ＭＤＳ４及びＭＤＳ５とを有する。上記の欧州特許出願公開第０１２００５０５．４号明細書において、データベースにおいて記憶された指紋と音声クリップに対して計算された指紋とをマッチングするために種々のマッチングストラテジについて記載している。
【００７４】
欧州特許出願公開第０１２０２７２０．７号明細書においては、不明の信号を識別するためにデータベースにおいて記憶されている複数の識別された情報信号の指紋と不明な情報信号を表す指紋をマッチングする効果的な方法について記載している。この方法は、抽出された指紋ビットについての信頼性情報を用いる。指紋ビットは、指紋情報の特徴を計算し、指紋ビットを得るために前記特徴を閾値化することにより決定される。特徴が閾値に非常に近い値を有する場合、信号における小さい変化は反対の値を有する指紋ビットに繋がり得る。特徴値と閾値との差の絶対値は、各々の指紋ビットを信頼できる又は信頼できないとして印付けするために用いられる。信頼性は、続いて、実際のマッチング手法を改善するために用いられる。
【００７５】
データベース１１０は、クエリ時間及び／又はデータ編成を最適化する種々の方法において構築されることができる。入力モジュール４０１からの出力は、データベース１１０におけるデーブルをデザインするときに考慮される必要がある。図４において示す実施形態において、データベース１１０は、それぞれの指紋及びメタデータの集合を有するエントリ（記録）を伴う単一テーブルを有する。ＤＢＭＳバックエンドモジュール４０３は、クライアント装置に結果を送信する応答モジュール４０４にクエリの結果を供給する。
【００７６】
図５は、本発明の実施形態に従って等化器設定を決定するために諮問データを用いる音楽プレーヤを模式的に示している。多くの音楽プレーヤは、種々の周波数バンドに対して種々の利得を設定することを可能にする等化器を備えている。代表的には、等化器の設定は、異なるイン学ジャンルに対して異なる。例えば、ポピュラー音楽は、通常、通常、高い及び低いブースト周波数で再生し、クラシック音楽は更なるレベル設定を伴うことが好まれる。指紋化によるオンが気識別を用いて、リモート指紋データベースと結合させることにより（結合されるプレーヤに対して）、又は局所的に記憶された指紋データベースを用いることにより、これらのタイプの等化器設定を自動的に決定することができる。
【００７７】
図５の例において、音楽プレーヤ５０３であって、例えば、ホームハイファイ装置、ソフトウェアプレーヤ等は、音楽プレーヤであって、例えば、ＣＯプレーヤ、無線チューナ、テープレコーダ、レコードプレーヤ等に含まれる音声ソース５０１からの信号、又は、例えば、レコードプレーヤ、テープレコーダ等のような他の音声ソースからの入力信号、例えば外部の信号としての音声信号、を受信する、等化器５０８を有する。等化器５０８は、スピーカ５０９、他のアンプ（図示せず）等に供給されることが可能である出力信号の利得を制御する。入力音声信号は、図１を参照して説明した音声クリップの指紋を計算する指紋モジュール５０５に更に供給される。指紋モジュールは、データベースに問い合わせし、ジャンル情報であって、例えば、指紋モジュールに多くのジャンルの１つを識別する識別子符号を返すデータベースサーバ１０９に計算された指紋を送信する。指紋モジュールは、等化器５０８の等化器設定を制御するためにジャンル情報を用いる。
【００７８】
図６は、本発明の実施形態に従って表示特性を設定するために指紋データを用いるテレビジョンセット６０３を模式的に示している。
【００７９】
現代のテレビジョンセットは、特定の表示特性を設定するためのオプションを有している。例えば、自然映画は、自然色の良好な再生を可能にする設定を伴って良好に見ることができ、漫画は改善されたシャープネスを伴って良好に見ることができる。又、映像指紋化による映像識別は、見られるコンテンツに従ってこれらの設定の自動的適応を可能にする。
【００８０】
テレビジョンセット６０３は、アンテナ６０８によりテレビジョン信号を受信する。代替として又は付加的に、テレビジョンセット６０３は、ケーブルネットワーク、衛星等の他のチャネルによりテレビジョン信号を受信することが可能である。テレビジョンセットは、表示特性の制御を含む、テレビジョンセットの表示装置６０６を制御するための制御回路６０４を有する。本発明に従って、テレビジョンセット６０３は、制御回路６０４から映像信号を受信し、対応する指紋を計算する指紋モジュール６０５を更に有する。指紋モジュール６０５は、上記のように、計算された指紋に関連するメタデータを返す指紋サーバ１０９に計算された指紋を送信する。返されたメタデータは、制御回路６０４が適切な表示設定を設定するようにする諮問モジュール６０５に供給される。
【００８１】
図７は、本発明の実施形態に従って、符合化スキームの符合化パラメータの決定に対して指紋データを用いるビデオレコーダ７０３を模式的に示している。
【００８２】
現代のビデオレコーダ、例えば、デジタルセットトップボックス、所謂パーソナルテレビジョンレコーダ又はサーバは、ユーザがハードディスクにテレビジョンプログラムを直接記録することを可能にする。そのようなパーソナルビデオレコーダの例には、Ｐｈｉｌｏｐｓ社製のＹｉｖｏレコーダ及び再生レコーダがある。そのようなレコーダは、記録される映像プログラムを記憶するために、ＭＰＥＧ−２等のような現在の映像圧縮規格を利用する。
【００８３】
図７の例において、ビデオレコーダ７０３は、映像信号を符合化するために符合化モジュール７０４を有する。映像符合化は、通常、映像復号化に比べて非常に複雑である。映像符合化は、レート（使用されるべきバイト数）と映像品質との間のトレードオフを得るために、自由パラメータの大きい空間に亘る検索を伴う。映像復号化エンジンは、それらのタスクのみが選択されたパラメータを解釈するため、このような複雑さを被ることはない。一般に、高品質の映像符合化は、比較的安価な消費者向け装置において利用可能である計算資源に比べて非常に多くの計算資源を必要とする。
【００８４】
この実施形態に従って、ビデオレコーダは、自由パラメータの選択において映像符合化モジュール７０４を支援し、それにより、全体的な符合化品質を改善する指紋モジュール７０５を有する。このようなパラメータは、所定の映画又は映像プログラムに対して予め計算されることが可能であり、データベース１１０において計算された映像指紋データを有するメタデータとして記憶されることが可能である。符号化器７０４により符合化されるべき所定の映像信号に対して、映像信号は、映像信号の一部又は映像信号の指紋を計算する指紋モジュール７０５に供給される。
【００８５】
指紋モジュールは、改善された映像符合化に対して、シーン変化、動き情報等のような関連符合化パラメータを検索する指紋サーバに計算された指紋を送信する。例えば、ビデオレコーダは、インターネット、ケーブルテレビジョンネットワーク等により指紋サーバに接続されることが可能である。受信された符合化パラメータは、従って、映像符合化を実行する符合化モジュール７０４に返される。
【００８６】
例えば、特徴を加えることにより、除くことにより、又は、上記の実施形態の特徴を結合させることにより、当業者は上記の実施形態を適応させることが可能であることが理解できる。例えば、上記の実施形態全てにおいて、指紋データベースは、ローカルデータベース又はリモートデータベース、又はそれらの組み合わせとすることが可能である。更に、計算された指紋に基づいて信号処理を制御するための特性値の検索は、例えば、ユーザに提供されるべきメタデータの検索等の他の目的のために、他のデータの検索と結合されることが可能である。
【００８７】
上記の構成は、一般用途向けの又は特殊用途向けプログラム可能マイクロプロセッサ、デジタル信号プロセッサ（ＤＳＰ）、特定用途向け集積回路（ＡＳＩＣ）、プログラマブルロジックアレイ（ＰＬＡ）、フィールドプログラマブルゲートアレイ（ＦＰＧＡ）、特定用途向け電子回路、又はそれらの組み合わせとして実施されることが可能であることに留意する必要がある。
【００８８】
本発明は、多くの実施形態と結び付けて説明されたことに更に留意する必要がある。しかしながら、当業者は、信号処理の他の方式に本発明を適用することができ、それにより、関連信号処理を改善するために特定の音声−映像アイテム又は他の情報アイテムのアイデンティティについての知識を用いることができることを理解することができる。
【００８９】
上記の実施形態は、本発明を制限するのではなく、例示であり、当業者は、同時提出の特許請求の範囲の範囲から逸脱することなく多くの代替の実施形態をデザインすることができることに留意する必要がある。
【００９０】
表現“を有する”及びそれから派生した表現は、請求項に記載されたもの以外の構成要素又は段階の存在を排除するものではない。構成要素の単数表現は、それら構成要素の複数の存在を排除するものではない。
【００９１】
本発明は、幾つかの別々の構成要素を有するハードウェアの手段により、そして、適切にプログラムされたコンピュータの手段により、実施されることができる。幾つかの手段を挙げた装置請求項においては、それらの幾つかの手段を、一つのハードウェア及びハードウェアの同じアイテムにより具現化することができる。特定の手段が互いに異なる独立請求項において挙げられているという単なる事実は、それらの手段の組み合わせを有利になるように用いることができないことを示すものではない。
【図面の簡単な説明】
【００９２】
【図１】リモート指紋データベースを用いて、本発明の実施形態に従って、音声トラックを記録するためのシステムを模式的に示す図である。
【図２】ローカル指紋データベースを用いて、本発明の実施形態に従って、音声トラックを記録するためのシステムを模式的に示す図である。
【図３】本発明の実施形態に従った、音声トラックを分離する方法のフロー図である。
【図４】サーバ１０９及び指紋データベース１１０をより詳細に示す模式図である。
【図５】本発明の実施形態に従った、決定された等化器設定に指紋データを用いる音楽プレーヤを示す模式図である。
【図６】本発明の実施形態に従った、表示特性を設定するために指紋データを用いるテレビジョンセットを示す模式図である。
【図７】本発明の実施形態に従った、符合化スキームの符合化パラメータを決定するために指紋データを用いるビデオレコーダを示す模式図である。
【図１】
2005526349.tif 000003
【図２】
2005526349.tif 000004
【図４】
2005526349.tif 000005
【図３】
2005526349.tif 000006
【図５】
2005526349.tif 000007
【図６】
2005526349.tif 000008
【図７】
2005526349.tif 000009
【国際調査報告】
2005526349.tif 000010
2005526349.tif 000011
2005526349.tif 000012